(57)【要約】      （修正有）【課題】効率が高く、まつ毛を複数回強い力で挟持押圧する必要がなく、構造が簡単で、操作が容易である、使い勝手のよい電熱式アイラッシュカーラーを提供する。【解決手段】使い勝手のよい電熱式アイラッシュカーラーは、第１本体１と、第２本体２と、第１本体１の先端に設けられる加熱挟持アセンブリ３と、第２本体２の先端に固設される挟持本体４とを備え、第１本体１が第２本体２とヒンジ連結され、第１本体１が第２本体２に対して移動するときに、挟持本体４と加熱挟持アセンブリ３とが接離する。【選択図】図１
0003234988.tif 000002
【実用新案登録請求の範囲】
【請求項１】
第１本体と、第２本体と、第１本体の先端に設けられる加熱挟持アセンブリと、第２本体の先端に固設される挟持本体とを備え、前記第１本体が第２本体とヒンジ連結され、第１本体が第２本体に対して移動するときに、挟持本体と加熱挟持アセンブリとが接離し、
前記加熱挟持アセンブリは、ハウジング、バッテリー、ＰＣＢ基板及び電熱線を備え、前記バッテリー、ＰＣＢ基板及び加熱線がハウジング内に設けられ、前記バッテリー及び電熱線がＰＣＢ基板にそれぞれ接続され、前記ハウジングの電熱線に対応する箇所に第１挟持部が設けられ、前記挟持本体に第１挟持部に対応して第２挟持部が設けられ、前記挟持本体と加熱挟持アセンブリとが接合するときに、第１挟持部と第２挟持部とが接合挟持することを特徴とする使い勝手のよい電熱式アイラッシュカーラー。
【請求項２】
前記ハウジングには、バッテリーを充電するための充電ポートが設けられることを特徴とする請求項１に記載の使い勝手のよい電熱式アイラッシュカーラー。
【請求項３】
前記ハウジングには、電熱線の動作を制御するための制御ボタンが設けられることを特徴とする請求項１に記載の使い勝手のよい電熱式アイラッシュカーラー。
【請求項４】
前記挟持本体は、一端が第２本体の先端の両側とそれぞれ固定され、他端が第２挟持部の両端とそれぞれ固定される２つ接続部をさらに備え、前記２つの接続部の間には、加熱挟持アセンブリを収容するための収容室が形成されることを特徴とする請求項１に記載の使い勝手のよい電熱式アイラッシュカーラー。
【請求項５】
前記第１本体が第２本体に対して移動するときに、第１挟持部と第２挟持部とが接合挟持したり分離したりするように、前記加熱挟持アセンブリが収容室内で前後動することを特徴とする請求項４に記載の使い勝手のよい電熱式アイラッシュカーラー。
【請求項６】
前記第２挟持部に弧状溝が設けられ、第１挟持部に弧状溝に対応する弧状面が設けられることを特徴とする請求項５に記載の使い勝手のよい電熱式アイラッシュカーラー。
【請求項７】
前記第１本体の先端には、第２本体とヒンジ連結するための第１ヒンジ連結部が設けられ、前記第１ヒンジ連結部の下方に延びて第２ヒンジ連結部が形成され、前記第１ヒンジ連結部が第２本体の先端の上方にヒンジ連結され、第２ヒンジ連結部が第２本体の先端を貫通して第２本体の先端の下方において加熱挟持アセンブリとヒンジ連結され、第１本体が第２本体に対して移動するときに、第２ヒンジ連結部が加熱挟持アセンブリを収容室内で前後動するように押し付けることを特徴とする請求項６に記載の使い勝手のよい電熱式アイラッシュカーラー。
【請求項８】
２つの前記接続部の内側面にガイド溝がそれぞれ設けられ、前記ハウジングの両側にガイド凸部がそれぞれ設けられ、前記ハウジングの両側のガイド凸部が対応するガイド溝内に可動に設けられることを特徴とする請求項７に記載の使い勝手のよい電熱式アイラッシュカーラー。
【請求項９】
前記第１本体及び第２本体のそれぞれには、使用者の指が挿入するための環状部が固設されることを特徴とする請求項１に記載の使い勝手のよい電熱式アイラッシュカーラー。
【考案の詳細な説明】
【技術分野】
【０００１】
本考案は、アイラッシュカーラーの分野に属し、特に使い勝手のよい電熱式アイラッシュカーラーに関する。
【背景技術】
【０００２】
アイラッシュカーラーは、マスカラを付けたまつ毛が長くてカールしているように見えるようにまつ毛を上向きにそらせるための化粧具であり、挟み部の円弧状がまぶたの外形にフィットしている。従来のアイラッシュカーラーは、機械的押圧によりまつ毛を上向きにそらせるものが多いが、この操作が面倒くさく、誤操作で使用者を傷つける恐れがある。
【０００３】
従来技術では、メインハンドル及びサブハンドルを備え、前記メインハンドルの中間部が回転軸を介してサブハンドルの中間部に回転可能に連結され、前記メインハンドルの下側に親指環が設けられ、前記サブハンドルの左側に人差し指環が設けられ、前記メインハンドルの上端に上挟持板が挿着され、前記上挟持板の下側の左端に遮蔽板がヒンジ連結され、前記遮蔽板の上側に鏡溝が設けられ、前記鏡溝に鏡が接着され、前記上挟持板の下側に係止溝が設けられ、前記遮蔽板の上側に係止部材が設けられ、前記係止部材が係止溝に係合されるアイラッシュカーラー装置（出願番号ＣＮ２０２０２０２５２６２２．４）が開示されており、遮蔽板を設けることにより、アイラッシュカーラーを使用するときに、遮蔽板を開くと鏡が露出するので、使用者が鏡を探す必要がなくなり、使い勝手がよく、硬質スポンジ層を設けることにより、使用者が寒い日にアイラッシュカーラーを使用するときに、まぶたが金属と接触するよりも、まぶたが硬質スポンジ層と接触するほうが快適であり、寒冷感が軽減される。しかしながら、このアイラッシュカーラー装置は、依然として上記の欠点を有する。
【考案の概要】
【考案が解決しようとする課題】
【０００４】
本考案は上記した従来技術の問題に鑑みなされたものであり、本考案の主な目的は、まつ毛を挟んだまま電気で加熱して、まつ毛を上向きにそらせることができ、効率が高く、まつ毛を複数回強い力で挟持押圧する必要がない電熱式アイラッシュカーラーを提供することにある。
【０００５】
本考案の他の目的は、構造が簡単で、操作が容易である、使い勝手のよい電熱式アイラッシュカーラーを提供することにある。
【課題を解決するための手段】
【０００６】
上記の目的を達成するための本考案の技術的手段は次のとおりである。
第１本体と、第２本体と、第１本体の先端に設けられる加熱挟持アセンブリと、第２本体の先端に固設される挟持本体とを備え、前記第１本体が第２本体とヒンジ連結され、第１本体が第２本体に対して移動するときに、挟持本体と加熱挟持アセンブリとが接離し、
前記加熱挟持アセンブリは、ハウジング、バッテリー、ＰＣＢ基板及び電熱線を備え、前記バッテリー、ＰＣＢ基板及び加熱線がハウジング内に設けられ、前記バッテリー及び電熱線がＰＣＢ基板にそれぞれ接続され、前記ハウジングの電熱線に対応する箇所に第１挟持部が設けられ、前記挟持本体に第１挟持部に対応して第２挟持部が設けられ、前記挟持本体と加熱挟持アセンブリとが接合するときに、第１挟持部と第２挟持部とが接合挟持することを特徴とする使い勝手のよい電熱式アイラッシュカーラーである。具体的に、電熱線が第１挟持部内に設けられ、該アイラッシュカーラーにおいて、第１本体と第２本体との移動を制御することにより、第１挟持部と第２挟持部とが接合挟持し、このとき、ＰＣＢ基板が電熱線を作動させ、バッテリーが電熱線に給電することで、第１挟持部の温度が上昇して、第１挟持部と第２挟持部との間に挟まれたまつ毛を変形させて上向きにそらせる。この過程は、従来のアイラッシュカーラーよりも効率が高く、まつ毛を複数回強い力で挟持押圧する必要はない。そして、該アイラッシュカーラーは、構造が簡単で、操作が容易である。加熱挟持アセンブリが第１本体の先端と着脱可能に設けられることにより、加熱挟持アセンブリを容易に交換することができる。
【０００７】
さらに、前記ハウジングには、バッテリーを充電するための充電ポートが設けられる。充電ポートを設けることにより、該アイラッシュカーラーは、バッテリーの電気が切れたとき、充電することができ、該アイラッシュカーラーの寿命を延長し、利便性を向上する。
【０００８】
さらに、前記ハウジングには、電熱線の動作を制御するための制御ボタンが設けられる。この制御ボタンにより、電熱線のオン／オフを制御するか又は加熱温度を調整する。
【０００９】
さらに、前記挟持本体は、一端が第２本体の先端の両側とそれぞれ固定され、他端が第２挟持部の両端とそれぞれ固定される２つ接続部をさらに備え、前記２つの接続部の間には、加熱挟持アセンブリを収容するための収容室が形成される。収容室は、加熱挟持アセンブリを保護する役割を果たす。
【００１０】
さらに、前記第１本体が第２本体に対して移動するときに、第１挟持部と第２挟持部とが接合挟持したり分離したりするように、前記加熱挟持アセンブリが収容室内で前後動する。
【００１１】
さらに、前記第２挟持部に弧状溝が設けられ、第１挟持部に弧状溝に対応する弧状面が設けられる。弧状溝及び弧状面はまつ毛を挟む位置である。
【００１２】
さらに、前記第１本体の先端には、第２本体とヒンジ連結するための第１ヒンジ連結部が設けられ、前記第１ヒンジ連結部の下方に延びて第２ヒンジ連結部が形成され、前記第１ヒンジ連結部が第２本体の先端の上方にヒンジ連結され、第２ヒンジ連結部が第２本体の先端を貫通して第２本体の先端の下方において加熱挟持アセンブリとヒンジ連結され、第１本体が第２本体に対して移動するときに、第２ヒンジ連結部が加熱挟持アセンブリを収容室内で前後動するように押し付ける。具体的に、第１本体が第２本体に対して移動するときに、第２ヒンジ連結部が円弧運動し、このとき、第２ヒンジ連結部が加熱挟持アセンブリとヒンジ連結されるため、加熱挟持アセンブリを前方又は後方へ押し付けることができる。具体的に、加熱挟持アセンブリの一端が第２ヒンジ連結部に着脱可能にヒンジ連結される。
【００１３】
さらに、２つの前記接続部の内側面にガイド溝がそれぞれ設けられ、前記ハウジングの両側にガイド凸部がそれぞれ設けられ、前記ハウジングの両側のガイド凸部が対応するガイド溝内に可動に設けられる。ガイド溝とガイド凸部との係合により、加熱挟持アセンブリの前後動をガイドすることができる。
【００１４】
さらに、前記第１本体及び第２本体のそれぞれには、使用者の指が挿入するための環状部が固設される。環状部を設けることにより、該アイラッシュカーラーを容易に把持することができる。
【考案の効果】
【００１５】
従来技術に比べて、本考案では、第１本体と第２本体との移動を制御することにより、第１挟持部と第２挟持部とが接合挟持し、このとき、ＰＣＢ基板が電熱線を作動させ、バッテリーが電熱線に給電することで、第１挟持部の温度が上昇して、第１挟持部と第２挟持部との間に挟まれたまつ毛を変形させて上向きにそらせる。この過程は、従来のアイラッシュカーラーよりも効率が高く、まつ毛を複数回強い力で挟持押圧する必要はない。そして、該アイラッシュカーラーは、構造が簡単で、操作が容易である。
【図面の簡単な説明】
【００１６】
【図１】本考案の一実施例に係る使い勝手のよい電熱式アイラッシュカーラーの概略構造図である(実施例１)。
【図２】本考案の一実施例に係る使い勝手のよい電熱式アイラッシュカーラーの分解図である。
【考案を実施するための形態】
【００１７】
本考案の目的、技術的手段及び利点をより明らかにするために、以下、図面を参照しながら実施例により本考案を詳細に説明する。ここに記載された具体的な実施例は、本考案を説明するためのものであって、本考案を限定するためのものではないことを理解されたい。
【実施例１】
【００１８】
図を参照して本考案の一実施例に係る使い勝手のよい電熱式アイラッシュカーラーを説明する。
図１、図２において、使い勝手のよい電熱式アイラッシュカーラーは、第１本体１と、第２本体２と、第１本体１の先端に設けられる加熱挟持アセンブリ３と、第２本体２の先端に固設される挟持本体４とを備え、前記第１本体１が第２本体２とヒンジ連結され、第１本体１が第２本体２に対して移動するときに、挟持本体４と加熱挟持アセンブリ３とが接離し、
前記加熱挟持アセンブリ３は、ハウジング３１、バッテリー、ＰＣＢ基板及び電熱線３２を備え、前記バッテリー、ＰＣＢ基板及び加熱線３２がハウジング３１内に設けられ、前記バッテリー及び電熱線がＰＣＢ基板にそれぞれ接続され、前記ハウジング３１の電熱線３２に対応する箇所に第１挟持部３３が設けられ、前記挟持本体４に第１挟持部３３に対応して第２挟持部４１が設けられ、前記挟持本体４と加熱挟持アセンブリ３とが接合するときに、第１挟持部３３と第２挟持部４１とが接合挟持する。バッテリー、ＰＣＢ基板及び電熱線の接続が従来技術であり、バッテリー及びＰＣＢ基板がハウジングの内部に固定される。
【００１９】
さらに、前記ハウジング３１には、バッテリーを充電するための充電ポート３４が設けられる。
【００２０】
さらに、前記ハウジング３１には、電熱線３２の動作を制御するための制御ボタン３５が設けられる。具体的に、制御ボタン３５がハウジングの上方に位置し、充電ポートがハウジングの側面に位置する。
【００２１】
さらに、前記挟持本体４は、一端が第２本体２の先端の両側とそれぞれ固定され、他端が第２挟持部４１の両端とそれぞれ固定される２つ接続部４２をさらに備え、前記２つの接続部４２の間には、加熱挟持アセンブリ３を収容するための収容室４３が形成される。つまり、接続部の両端が第２挟持部の一端、第２本体の先端の一側にそれぞれ固定される。
【００２２】
さらに、第１本体１が加熱挟持アセンブリ３とヒンジ連結され、前記第１本体１が第２本体２に対して移動するときに、第１挟持部３３と第２挟持部４１とが接合挟持したり分離したりするように、前記加熱挟持アセンブリ３が収容室４３内で前後動する。
【００２３】
さらに、前記第２挟持部４１に弧状溝４１１が設けられ、第１挟持部３３に弧状溝４１１に対応する弧状面３３１が設けられる。
【００２４】
さらに、前記第１本体１の先端には、第２本体２とヒンジ連結するための第１ヒンジ連結部１１が設けられ、前記第１ヒンジ連結部１１の下方に延びて第２ヒンジ連結部１２が形成され、前記第１ヒンジ連結部１１が第２本体２の先端の上方にヒンジ連結され、第２ヒンジ連結部１２が第２本体２の先端を貫通して第２本体２の先端の下方において加熱挟持アセンブリ３とヒンジ連結され、第１本体１が第２本体２に対して移動するときに、第２ヒンジ連結部１２が加熱挟持アセンブリ３を収容室４３内で前後動するように押し付ける。
【００２５】
さらに、２つの前記接続部４２の内側面にガイド溝４２１がそれぞれ設けられ、前記ハウジング３１の両側にガイド凸部３１１がそれぞれ設けられ、前記ハウジング３１の両側のガイド凸部３１１が対応するガイド溝４２１内に可動に設けられる。
【００２６】
さらに、前記第１本体１及び第２本体２のそれぞれには、使用者の指が挿入するための環状部５が固設される。
【００２７】
本考案の有益な効果は、従来技術に比べて、本考案では、第１本体と第２本体との移動を制御することにより、第１挟持部と第２挟持部とが接合挟持し、このとき、ＰＣＢ基板が電熱線を作動させ、バッテリーが電熱線に給電することで、第１挟持部の温度が上昇して、第１挟持部と第２挟持部との間に挟まれたまつ毛を変形させて上向きにそらせる。この過程は、従来のアイラッシュカーラーよりも効率が高く、まつ毛を複数回強い力で挟持押圧する必要はない。そして、該アイラッシュカーラーは、構造が簡単で、操作が容易である。
【００２８】
以上は、本考案の好ましい実施例に過ぎず、本考案を限定するためのものではない。本考案の精神及び原則内で行われた任意の修正、同等の置換及び改良などは、いずれも本考案の保護範囲に含まれるべきである。
【符号の説明】
【００２９】
１  第１本体
２  第２本体
３  加熱挟持アセンブリ
４  挟持本体
【図１】
0003234988.tif 000003
【図２】
0003234988.tif 000004